(57)【要約】【課題】パネルの貫通孔との嵌着状態に影響を来さずに作業性の向上を図ることが可能なグロメットを提供する。【解決手段】グロメット１は、内部にワイヤハーネスが挿通される小径筒部２と、パネルの貫通孔に嵌着する嵌着溝１４が形成される大径筒部３と、これら小径筒部２及び大径筒部３の間に一体に形成される複数のオプション用の貫通筒部７、８とを有する。複数の貫通筒部７、８は、これら突出先端部１６が小径筒部２の端部１０よりもグロメット１の軸方向の外側に位置するように長く突出形成され、また、グロメット１の軸を通る対角線上に配置形成され、さらには、グロメット１の軸を中心に等ピッチになる位置に配置形成される。【選択図】図２
2016184561.tif 000002
【特許請求の範囲】
【請求項１】
内部にワイヤハーネスが挿通される小径筒部と、パネルの貫通孔に嵌着する嵌着溝が形成される大径筒部と、これら前記小径筒部及び前記大径筒部の間に一体に形成される複数のオプション用の貫通筒部とを有するグロメットにおいて、
前記複数の貫通筒部は、前記小径筒部よりもグロメット軸方向に長く突出形成される
ことを特徴とするグロメット。
【請求項２】
請求項１に記載のグロメットにおいて、
前記複数の貫通筒部は、前記グロメット軸を通る対角線上に配置形成される、又は、前記グロメット軸を中心に等ピッチの位置に配置形成される
ことを特徴とするグロメット。
【請求項３】
請求項１又は２に記載のグロメットにおいて、
前記複数の貫通筒部は、少なくとも一つがケーブルを貫通させるための部分として形成されるとともに、残りが用品を貫通させるための部分として形成される
ことを特徴とするグロメット。
【発明の詳細な説明】
【技術分野】
【０００１】
本発明は、ワイヤハーネスが挿通されてパネルの貫通孔に嵌着するグロメットに関する。詳しくは、オプション用の貫通筒部を複数有するグロメットに関する。
【背景技術】
【０００２】
例えば下記特許文献１に開示されるグロメットは、内部にワイヤハーネスが挿通される小径筒部と、パネルの貫通孔に嵌着する嵌着溝が形成される大径筒部と、これら小径筒部及び大径筒部の間に一体に形成される二つの貫通筒部とを有する。二つの貫通筒部は、オプション用の筒部として形成される。また、二つの貫通筒部は、短く突出する形状に形成される。二つの貫通筒部は、近接した位置に配置形成される。二つの貫通筒部は、ワイヤハーネスと別にケーブルを挿通する必要がある場合に、筒部の端部（蓋部）に孔をあけて使用される。
【先行技術文献】
【特許文献】
【０００３】
【特許文献１】実開平５−３２１５９号公報
【発明の概要】
【発明が解決しようとする課題】
【０００４】
上記従来技術にあっては、貫通筒部が短く突出する形状に形成されることから、また、小径筒部もさほど長くないことから、次のような問題点を有する。すなわち、オプションでケーブルの挿通が必要になった場合、貫通筒部が短いとこの短い貫通筒部を持ちながらケーブルを押し込む作業ができず、そのため一方の手でワイヤハーネスを持ち、他方の手はケーブルを持った状態で貫通筒部に押し込むというような作業になってしまう。従って、押し込む力がグロメットに加わり難く、結果、挿通作業性が悪くなってしまうという問題点を有する。また、挿通作業性が悪くなることに伴ってパネルの貫通孔との嵌着状態にも影響を来してしまうという問題点を有する。
【０００５】
この他、二つの貫通筒部が近接した位置に配置形成されることから、一方の貫通筒部を持とうとしても他方の貫通筒部が邪魔になり、結果、作業性が悪くなってしまうという問題点を有する。
【０００６】
本発明は、上記した事情に鑑みてなされたもので、パネルの貫通孔との嵌着状態に影響を来さずに作業性の向上を図ることが可能なグロメットを提供することを課題とする。
【課題を解決するための手段】
【０００７】
上記課題を解決するためになされた請求項１に記載の本発明は、内部にワイヤハーネスが挿通される小径筒部と、パネルの貫通孔に嵌着する嵌着溝が形成される大径筒部と、これら前記小径筒部及び前記大径筒部の間に一体に形成される複数のオプション用の貫通筒部とを有するグロメットにおいて、前記複数の貫通筒部は、前記小径筒部よりもグロメット軸方向に長く突出形成されることを特徴とする。
【０００８】
請求項２に記載の本発明は、請求項１に記載のグロメットにおいて、前記複数の貫通筒部は、前記グロメット軸を通る対角線上に配置形成される、又は、前記グロメット軸を中心に等ピッチの位置に配置形成されることを特徴とする。
【０００９】
請求項３に記載の本発明は、請求項１又は２に記載のグロメットにおいて、前記複数の貫通筒部は、少なくとも一つがケーブルを貫通させるための部分として形成されるとともに、残りが用品を貫通させるための部分として形成されることを特徴とする。
【発明の効果】
【００１０】
請求項１に記載された本発明によれば、貫通筒部を長く突出形成することから、一方の手で貫通筒部を持ち、他方の手は例えばケーブルを持った状態でこのケーブルを貫通筒部に押し込むことができる。従って、押し込む力を確実にグロメットに伝えることができ、結果、スムーズに挿通作業をすることができるという効果を奏する。また、これにより作業者の負担を軽減させることができるという効果や、パネルの貫通孔との嵌着状態を安定させることができるという効果も奏する。
【００１１】
請求項２に記載された本発明によれば、複数の貫通筒部を対角線上に配置形成することから、又は、等ピッチになる位置に配置形成することから、挿通作業の際に貫通筒部を持とうとしても他の貫通筒部が邪魔にならず、結果、スムーズに挿通作業をすることができるという効果を奏する。
【００１２】
請求項３に記載された本発明によれば、請求項１又は２の効果に加え次のような効果を更に奏する。すなわち、貫通筒部にケーブルや用品などをオプションとして挿通することができるという効果を奏する。
【図面の簡単な説明】
【００１３】
【図１】本発明のグロメットの平面図である。
【図２】グロメットの正面図である。
【図３】グロメットの底面図である。
【図４】図１のＡ−Ａ線断面図である。
【発明を実施するための形態】
【００１４】
グロメットは、内部にワイヤハーネスが挿通される小径筒部と、パネルの貫通孔に嵌着する嵌着溝が形成される大径筒部と、これら小径筒部及び大径筒部の間に一体に形成される複数のオプション用の貫通筒部とを有する。複数の貫通筒部は、この貫通筒部の突出先端部が小径筒部の端部よりもグロメット軸方向の外側に位置するように長く突出形成される。また、複数の貫通筒部は、グロメット軸を通る対角線上に配置形成される、又は、グロメット軸を中心に等ピッチの位置に配置形成される。このような複数の貫通筒部は、少なくとも一つがケーブルを貫通させるための部分として形成されるとともに、残りが用品を貫通させるための部分として形成される。
【実施例】
【００１５】
以下、図面を参照しながら実施例を説明する。図１は本発明のグロメットの平面図である。また、図２はグロメットの正面図、図３はグロメットの底面図、図４は図１のＡ−Ａ線断面図である。
【００１６】
＜グロメット１の構成について＞
図１ないし図４において、自動車用のグロメット１は、例えば仕切として設けられるパネル（図示省略）を貫通するようにワイヤハーネス（図示省略）が配索される際に用いられる。グロメット１は、例えばＥＰＤＭ製の弾力性のある部材であって、小径筒部２と、大径筒部３と、傾斜部４と、リップ部５と、空気層形成部６と、複数の貫通筒部７、８とを一体に有する。
【００１７】
＜小径筒部２について＞
小径筒部２は、内部にワイヤハーネスが挿通される円筒形状に形成される。小径筒部２は、この中央部９が傾斜して端部１０が基端１１よりも小径に形成される。小径筒部２の内面には、複数の円環状凸部１２が形成される。この円環状凸部１２は、内面とともにワイヤハーネスに密着する部分として形成される。小径筒部２の端部１０側の外面には、円環状テープ止め部１３が形成される。この円環状テープ止め部１３の位置で図示しないテープ巻きが行われると、グロメット１はワイヤハーネスに密着する。また、グロメット１は、ワイヤハーネスに対して固定状態になる。
【００１８】
＜大径筒部３について＞
大径筒部３は、グロメット１の軸方向中間位置に配置形成される。大径筒部３は、図示しないパネルの貫通孔に合わせた径を有するように形成される。このような大径筒部３の外面には、上記貫通孔に嵌着する嵌着溝１４が形成される。嵌着溝１４は、環凹状に形成される。
【００１９】
＜傾斜部４について＞
傾斜部４は、この一端が小径筒部２に連成されるとともに、他端が大径筒部３に連成される略円錐筒状に形成される。傾斜部４は、小径筒部２から大径筒部３にかけて厚肉になる部分と、薄肉になる部分とを複数有する。厚肉になる部分と薄肉になる部分は、グロメット１の軸を中心に放射状に配置形成される。
【００２０】
＜リップ部５について＞
リップ部５は、貫通孔近傍のパネルに密着する部分として形成される。リップ部５は、大径筒部３の嵌着溝１４の近傍から外側にのびるように断面略Ｖ字状の環凹状に形成される。
【００２１】
＜空気層形成部６について＞
空気層形成部６は、防音用の空気層をグロメット１の内部に形成するための部分であって、小径筒部２に対しグロメット１の軸方向反対側に配置される。空気層形成部６は、大径筒部３に連続する断面略漏斗状に形成される。空気層形成部６は、この端部１５でテープ巻きが行われるとワイヤハーネスに対し密着して固定される。
【００２２】
＜複数の貫通筒部７、８について＞
複数の貫通筒部７、８は、オプション用の筒部として形成される。具体的には、ケーブルや用品を貫通させる必要がある場合に用いられる筒部として形成される。本実施例においては、貫通筒部７が図示しないフードロックケーブルに対する筒部であって、特に図示しないがこのフードロックケーブルを挿通することができるように形成される。また、三つの貫通筒部８は、図示しないウォッシャーホースやフォグランプ用ワイヤ等に対する筒部であって、このような用品を挿通することができるように形成される。
【００２３】
尚、フードロックケーブル用の貫通筒部７は、少なくとも一つ形成されるものとする。また、貫通筒部８も少なくとも一つ形成されるものとする（本実施例では三つであるが、例えば二つなど適宜数にて形成されるものとする）。
【００２４】
複数の貫通筒部７、８は、この突出先端部１６が蓋部１７で閉塞されるように形成される。複数の貫通筒部７、８は、ディーラー用品の関係等で後から蓋部１７をカットして孔開けをした後に使用される。
【００２５】
複数の貫通筒部７、８は、傾斜部４の薄肉になる部分に配置形成される。複数の貫通筒部７、８は、各突出先端部１６が小径筒部２の端部１０よりもグロメット１の軸方向の外側に位置するように長く突出形成される。また、複数の貫通筒部７、８は、上記軸を通る対角線上に配置形成される。さらに、複数の貫通筒部７、８は、上記軸を中心に等ピッチ（９０度ピッチ）になる位置に配置形成される。複数の貫通筒部７、８は、図からも分かるように、長い筒部として形成される。複数の貫通筒部７、８は、これらのうちの一本が作業者の手で持たれても、他の筒部が邪魔にならないような位置に配置される。複数の貫通筒部７、８は、例えば作業者が手で持てる程度に長く形成される。
【００２６】
＜本発明のまとめ及び効果＞
以上、図１ないし図４を参照しながら説明してきたように、本発明のグロメット１は、内部にワイヤハーネスが挿通される小径筒部２と、パネルの貫通孔に嵌着する嵌着溝１４が形成される大径筒部３と、これら小径筒部２及び大径筒部３の間に一体に形成される複数のオプション用の貫通筒部７、８とを有する。
【００２７】
複数の貫通筒部７、８は、これら突出先端部１６が小径筒部２の端部１０よりもグロメット１の軸方向の外側に位置するように長く突出形成される。また、複数の貫通筒部７、８は、グロメット１の軸を通る対角線上に配置形成される。さらに、複数の貫通筒部７、８は、グロメット１の軸を中心に等ピッチになる位置に配置形成される。
【００２８】
従って、作業者は一方の手で貫通筒部７を持ち、他方の手はフードロックケーブルを持った状態でこのケーブルを貫通筒部７に押し込むことができるという効果を奏する。つまり、押し込む力を確実にグロメット１に伝えることができ、結果、スムーズに挿通作業をすることができるという効果を奏する。また、スムーズに挿通作業をすることができることから、作業者の負担を軽減させることができるという効果や、パネルの貫通孔との嵌着状態を安定させることができるという効果も奏する。
【００２９】
この他、複数の貫通筒部７、８を上記の如く対角線上に配置形成することから、また、等ピッチになる位置に配置形成することから（本実施例に限らず、上記対角線上の配置又は上記等ピッチの配置であってもよいものとする）、挿通作業の際に例えば貫通筒部７を持とうとしても他の貫通筒部８が邪魔にならず、結果、スムーズに挿通作業をすることができるという効果を奏する。
【００３０】
本発明は本発明の主旨を変えない範囲で種々変更実施可能なことは勿論である。
【符号の説明】
【００３１】
１…グロメット
２…小径筒部
３…大径筒部
４…傾斜部
５…リップ部
６…空気層形成部
７、８…貫通筒部
９…中央部
１０…端部
１１…基端
１２…円環状凸部
１３…円環状テープ止め部
１４…嵌着溝
１５…端部
１６…突出先端部
１７…蓋部
【図１】
2016184561.tif 000003
【図２】
2016184561.tif 000004
【図３】
2016184561.tif 000005
【図４】
2016184561.tif 000006